(57)【要約】【課題】不純物の濃度を測定する不純物濃度検出手段を備えることなく、不純物除去手段の消耗を抑え、寿命を延ばし、燃料電池の出力低下、耐久性の低下を抑制する燃料電池発電装置を提供する。【解決手段】検出部９で間接的に推測した不純物濃度に基づき、不純物が相対的に多いと判定される場合の酸化剤ガス不純物除去手段４を経由しないバイパス経路１２の流量比率が、不純物が相対的に少ないと判定される場合のバイパス経路１２の流量比率よりも低くなるように流量比率調節部１４を制御部１０で制御するような燃料電池発電装置である。これによって、不純物濃度測定センサーが不要で、酸化剤ガス不純物除去手段４の消耗を抑え寿命を延ばし、燃料電池１の出力低下、耐久性の低下が起こらない燃料電池発電装置を提供することができる。【選択図】図１
2016162541.tif 000002
【特許請求の範囲】
【請求項１】
酸化剤ガスに含まれる不純物を除去する不純物除去手段と、前記不純物除去手段をバイパスするバイパス経路と、前記不純物除去手段を経由する経路とバイパス経路との酸化剤ガスの流量比率を調節する流量比率調節部と、酸化剤ガス中に含まれる不純物濃度を間接的に推測する検出部と、制御部とを備え、
前記制御部は、前記検出部で間接的に推測した不純物濃度に基づき、前記不純物が相対的に多いと判定される場合の前記バイパス経路の流量比率が、前記不純物が相対的に少ないと判定される場合の前記バイパス経路の流量比率よりも低くなるように前記流量比率調節部を制御することを特徴とする燃料電池発電装置。
【請求項２】
前記検出部が、年月日を計測するカレンダー部を備え、前記制御部は、前記酸化剤ガスに含まれる前記不純物が相対的に多い年月日の時は、前記不純物除去手段を経由する経路の流量比率を高くし、前記酸化剤ガスに含まれる前記不純物が相対的に少ない年月日の時は、前記バイパス経路の流量比率を高くするように前記流量比率調節部を制御する、請求項１に記載の燃料電池発電装置。
【請求項３】
前記検出部が、時間を計測する時計部を備え、前記制御部は、前記酸化剤ガスに含まれる前記不純物が相対的に多い時間帯の時は、前記不純物除去手段を経由する経路の流量比率を高くし、前記酸化剤ガスに含まれる前記不純物が相対的に少ない時間帯の時は、前記バイパス経路の流量比率を高くするように前記流量比率調節部を制御する、請求項１に記載の燃料電池発電装置。
【請求項４】
前記検出部が、日射量を計測する日射量計部を備え、前記制御部は、前記日射量が高いときは、前記不純物除去手段を経由する経路の流量比率を高くし、前記日射量が低いときは、前記バイパス経路の流量比率を高くするように前記流量比率調節部を制御する、請求項１に記載の燃料電池発電装置。
【請求項５】
前記検出部が、降雨量を計測する降雨量計部を備え、前記制御部は、前記降雨量が低いときは、前記不純物除去手段を経由する経路の流量比率を高くし、前記降雨量が高いときは、前記バイパス経路の流量比率を高くするように前記流量比率調節部を制御する、請求項１に記載の燃料電池発電装置。
【請求項６】
前記流量比率調節部は、前記燃料電池に供給される酸化剤ガスの一部が前記不純物除去手段を経由する経路を通過するように流量比率を調節する機構を備える、請求項１から５のいずれか１項に記載の燃料電池発電装置。
【請求項７】
前記流量比率調節部は、前記不純物除去手段を経由する経路とバイパス経路とを切り替える切替機構を備える、請求項１から５のいずれか１項に記載の燃料電池発電装置。
【発明の詳細な説明】
【技術分野】
【０００１】
本発明は、使用環境中に含まれる不純物による出力低下や耐久性の低下を生じない燃料電池発電装置に関するものである。
【背景技術】
【０００２】
近年、高効率でクリーンなエネルギー源の開発が求められており、それに対する一つの候補として燃料電池が注目を浴びている。燃料電池（例えば、高分子電解質形燃料電池）は、水素を含有する燃料ガス（水素リッチなガス）と、酸素を含有する酸化剤ガス等の酸化剤ガスとを電気化学反応（発電反応）させることにより、電力と熱とを同時に発生させる装置である。
【０００３】
また、この時発生する熱エネルギーを回収するために、燃料電池の冷却水流路に冷却水を流通させて熱を回収する構成となっている。
【０００４】
ところで、アノードに供給される燃料ガス、あるいは、カソードに供給される酸化剤ガスに不純物が含まれる場合は、不純物がアノード、あるいは、カソードの触媒を被毒したり、電解質膜の水素イオン伝導性を阻害したりして、燃料電池の出力低下や耐久性の低下が発生するという課題があった。
【０００５】
そこで、燃料ガス、あるいは、酸化剤ガス中に含まれる不純物による燃料電池の出力低下や耐久性の低下を抑制するため、不純物除去手段を備え、燃料ガス、あるいは、酸化剤ガス中に含まれる不純物を除去して供給していた。
【０００６】
不純物除去手段には、一般に、不純物除去手段などが用いられることが多く、不純物除去手段で不純物を吸着、あるいは、分離して除去している。燃料電池に供給する酸化剤ガスには大気を用いる場合が多いが、大気中には、窒素酸化物、硫黄化合物、粉塵などの燃料電池の出力や耐久性に影響を与える様々な不純物が含まれており、酸性ガス除去不純物除去手段や、除塵不純物除去手段などで取り除くことができる。
【０００７】
しかしながら、これらの不純物除去手段は、運転中、常時、物理的あるいは化学的に不純物を吸着、吸収させて除去するため寿命が短く交換頻度が多くなったり、交換頻度を減らそうとすると不純物除去手段の容量（容積）を大きくする必要があった。
【０００８】
そこで、従来の燃料電池発電装置は、不純物濃度検出手段と、流路切替手段を備え、不純物の濃度が所定の値を超えたら、流路切替手段を使って、不純物除去手段（不純物除去手段）が不純物を除去するように流路を切り替えて、不純物除去手段の消耗を抑制して寿命を延ばして交換頻度を減らしていた（例えば、特許文献１参照）。
【先行技術文献】
【特許文献】
【０００９】
【特許文献１】特許第５０４７５５５号公報
【発明の概要】
【発明が解決しようとする課題】
【００１０】
しかしながら、上記従来の不純物濃度検出手段を用いる方法では、ガス経路の途中に不純物濃度センサを取り付ける必要があり、装置が大型化するだけでなく、除去する不純物によっては複数の不純物濃度検出手段（センサ−）を備えなければならず、経済的でない
という課題を有していた。
【００１１】
また、上記従来の不純物濃度検出手段を用いる方法では、流路切替の基準となる不純物濃度より少しだけ高い濃度を検出することが多い場合は、不純物除去手段側の流路を選択することが想定以上に多くなり、不純物除去手段の寿命が短くなるという課題を有していた。
【００１２】
本発明は、上記従来の課題を解決するもので、直接的にセンサーを用いて不純物の濃度を測定する不純物濃度検出手段を備えることなく、不純物除去手段の消耗を抑え、寿命を延ばし、燃料電池の出力低下、耐久性の低下を抑制する燃料電池発電装置を提供することを目的とする。
【課題を解決するための手段】
【００１３】
上記従来の課題を解決するために、本発明の燃料電池発電装置は、酸化剤ガスに含まれる不純物を除去する不純物除去手段と、不純物除去手段をバイパスするバイパス経路と、不純物除去手段を経由する経路とバイパス経路との酸化剤ガスの流量比率を調節する流量比率調節部と、酸化剤ガス中に含まれる不純物濃度を間接的に推測する検出部と、流量比率を調節する制御部を備えた構成であって、検出部で間接的に推測した不純物濃度に基づき、不純物が相対的に多いと判定される場合のバイパス経路の流量比率が、不純物が相対的に少ないと判定される場合のバイパス経路の流量比率よりも低くなるように制御部で制御するような構成としたものである。
【００１４】
これによって、不純物濃度を直接的に計測する、高価な不純物濃度検出手段を用いる代わりに、燃料電池発電装置に従来から組み込まれている検出部、あるいは不純物濃度検出手段よりも比較的安価な検出部を用いることによって、間接的に酸化剤ガス中に含まれる不純物濃度を推測することが可能となるので、不純物濃度検出手段を用いる必要がなくなる。
【００１５】
また、本発明の燃料電池発電装置は、推測した不純物濃度に基づいて、不純物除去手段を経由する経路の酸化剤ガス流量と不純物除去手段をバイパスするバイパス経路の酸化剤ガス流量とを調節することが可能となり、酸化剤ガス不純物除去手段の消耗を抑え、寿命を延ばすことが可能となる。
【発明の効果】
【００１６】
本発明の燃料電池発電装置は、比較的安価で単純な構成で、燃料電池の出力低下や耐久性低下を抑制する燃料電池発電装置を提供することができる。
【図面の簡単な説明】
【００１７】
【図１】本発明の実施の形態１、実施の形態３、実施の形態４、実施の形態５における燃料電池発電装置の模式図
【図２】本発明の実施の形態２における燃料電池発電装置の模式図
【発明を実施するための形態】
【００１８】
第１の発明は、酸化剤ガスに含まれる不純物を除去する不純物除去手段と、前記不純物除去手段をバイパスするバイパス経路と、前記不純物除去手段を経由する経路とバイパス経路との酸化剤ガスの流量比率を調節する流量比率調節部と、酸化剤ガス中に含まれる不純物濃度を間接的に推測する検出部と、制御部とを備え、前記制御部が、前記検出部で間接的に推測した不純物濃度に基づき、前記不純物が相対的に多いと判定される場合の前記バイパス経路の流量比率が、前記不純物が相対的に少ないと判定される場合の前記バイパス経路の流量比率よりも低くなるように前記流量比率調節部を制御することを特徴とする
燃料電池発電装置である。
【００１９】
上記構成において、燃料電池発電装置が稼動している間には、随時、検出部で推測した不純物濃度に基づいて、流量比率調節部を制御するので、燃料電池に供給する酸化剤ガスの一部が酸化剤ガス不純物除去手段を通過し、残りが酸化剤ガス不純物除去手段を通過することがなく燃料電池に供給することができる。
【００２０】
このため、大気中の不純物濃度が状況によって変化した場合においても、燃料電池  第２の発明は、特に、第１の発明の燃料電池発電装置において、カソード側に侵入する不純物の濃度を一定値以下に低下させることができる。また、全酸化剤ガスが常時、酸化剤ガス不純物除去手段を通過する場合と比較して、酸化剤ガス不純物除去手段の寿命を延ばすことができる。
【００２１】
第２の発明は、特に、第１の発明における、前記検出部が、年月日を計測するカレンダー部を備え、前記制御部が、前記酸化剤ガスに含まれる前記不純物が相対的に多い年月日の時は、前記不純物除去手段を経由する経路の流量比率を高くし、前記酸化剤ガスに含まれる前記不純物が相対的に少ない年月日の時は、前記バイパス経路の流量比率を高くするように前記流量比率調節部を制御するのである。
【００２２】
上記構成において、カレンダー部は、燃料電池発電装置に従前から組み込まれているので、不純物濃度検出手段等の不純物濃度を直接的に測定するセンサーを新たに設置する必要はない。
【００２３】
またカレンダー部が年月日を計測する機能を有しているので、不純物濃度が相対的に高い、もしくは低い年月日を推測することが可能となる。さらに、計測した年月日に基づいて、流量比率調節部を制御して、酸化剤ガス不純物除去手段を通過する酸化剤ガスの量と酸化剤ガス不純物除去手段を通過しない酸化剤ガスの量を調節することができるので、燃料電池カソード側に侵入する不純物の濃度を一定値以下に低下させることができる。
【００２４】
第３の発明は、特に、第１の発明における、前記検出部が、時間を計測する時計部を備え、前記制御部が、前記酸化剤ガスに含まれる前記不純物が相対的に多い時間帯の時は、前記不純物除去手段を経由する経路の流量比率を高くし、前記酸化剤ガスに含まれる前記不純物が相対的に少ない時間帯の時は、前記バイパス経路の流量比率を高くするように前記流量比率調節部を制御するのである。
【００２５】
上記構成において、時計部は燃料電池発電装置に従前から組み込まれているので、不純物濃度検出手段等のセンサーを新たに設置する必要はない。
【００２６】
また時計部が時間を計測する機能を有しているので、不純物濃度が相対的に高い、もしくは低い時刻を推測することが可能となる。さらに、計測した時刻に基づいて、流量比率調節部を制御して、酸化剤ガス不純物除去手段を通過する酸化剤ガスの量と酸化剤ガス不純物除去手段を通過しない酸化剤ガスの量を調節することができるので、燃料電池カソード側に侵入する不純物の濃度を一定値以下に低下させることができる。
【００２７】
第４の発明は、特に、第１の発明における、前記検出部が、日射量を計測する日射量計部を備え、前記制御部が、前記日射量が高いときは、前記不純物除去手段を経由する経路の流量比率を高くし、前記日射量が低いときは、前記バイパス経路の流量比率を高くするように前記流量比率調節部を制御するのである。
【００２８】
上記構成において、日射量計部は一般的に流通している市販の汎用品を用いることがで
きるので、高価で特殊な不純物濃度検出手段等のセンサーを設置する必要はない。
【００２９】
また燃料電池発電装置は一般的に戸外に設置されるので、日射量は容易に測定可能である。また日射量計部が日射量を計測する機能を有しているので、計測した日射量に基づいて、不純物濃度が相対的に高い、もしくは低いことを推測することができる。
【００３０】
さらに、計測した日射量に基づいて、流量比率調節部を制御して、酸化剤ガス不純物除去手段を通過する酸化剤ガスの量と酸化剤ガス不純物除去手段を通過しない酸化剤ガスの量を調節することができるので、燃料電池カソード側に侵入する不純物の濃度を一定値以下に低下させることができる。
【００３１】
第５の発明は、特に、第１の発明における、前記検出部が、降雨量を計測する降雨量計部を備え、前記制御部は、前記降雨量が低いときは、前記不純物除去手段を経由する経路の流量比率を高くし、前記降雨量が高いときは、前記バイパス経路の流量比率を高くするように前記流量比率調節部を制御するのである。
【００３２】
上記構成において、降雨量計部は一般的に流通している市販の汎用品を用いることができるので、高価で特殊な不純物濃度検出手段等のセンサーを設置する必要はない。
【００３３】
また、降雨量計部が降雨量を計測する機能を有しているので、計測した降雨量に基づいて、不純物濃度が相対的に高い、もしくは低いことを推測することができる。
【００３４】
さらに、計測した降雨量に基づいて、流量比率調節部を制御して、酸化剤ガス不純物除去手段を通過する酸化剤ガスの量と酸化剤ガス不純物除去手段を通過しない酸化剤ガスの量を調節することができるので、燃料電池カソード側に侵入する不純物の濃度を一定値以下に低下させることができる。
【００３５】
第６の発明は、特に、第１〜第５のいずれか１つの発明における、流量比率調節部が、燃料電池に供給される酸化剤ガスの一部が不純物除去手段を経由する経路を通過するように流量比率を調節する機構を備えるものである。
【００３６】
上記構成によって、燃料電池に供給する酸化剤ガスの一部が酸化剤ガス不純物除去手段を通過し、残りが酸化剤ガス不純物除去手段を通過することがなく燃料電池に供給されるので、燃料電池カソード側に侵入する不純物の濃度を一定値以下に低下させることができる。また、全酸化剤ガスが常時、酸化剤ガス不純物除去手段を通過する場合と比較して、酸化剤ガス不純物除去手段の寿命を延ばすことができる。
【００３７】
第７の発明は、特に、第１〜第５のいずれか１つの発明における、流量比率調節部が、不純物除去手段を経由する経路と不純物除去手段を経由しないバイパス経路とを切り替える切替機構を備えるものである。
【００３８】
上記構成により、不純物除去手段を経由する経路とバイパス経路とを切り替えることができるので、不純物濃度が相対的に高い場合には、燃料電池に供給する酸化剤ガスの全量を、不純物除去手段を経由する経路を使って供給することができる。
【００３９】
また、不純物濃度が相対的に低い場合には、燃料電池に供給する酸化剤ガスの全量を、バイパス経路を使って供給することができる。従って、簡易な装置構成とすることができる。また、酸化剤ガスの全量が常時、酸化剤ガス不純物除去手段を通過する場合と比較して、酸化剤ガス不純物除去手段の寿命を延ばすことができる。
【００４０】
以下、本発明の実施の形態について、図面を参照しながら説明するが、先に説明した実施の形態によって本発明が限定されるものではない。なお、以下の全ての図において、同一又は相当部分には同一符号を付し、重複する説明は省略する。
【００４１】
（実施の形態１）
図１は、本発明の実施の形態１における燃料電池発電装置の概略構成図を示すものである。
【００４２】
図１において、本実施の形態の燃料電池発電装置は、燃料電池１と、燃料電池１のカソードに酸化剤ガスを供給する第一酸化剤ガス供給手段２および第二酸化剤ガス供給手段１３と、アノードに燃料ガスを供給する燃料ガス供給手段３と、酸化剤ガス中に含まれる不純物を除去する酸化剤ガス不純物除去手段４と、第一酸化剤ガス供給路７と、燃料ガス供給路８と、酸化剤ガス中に含まれる不純物濃度を間接的に推測する検出部９と、流量比率調節部１４と、流量比率調節部１４を制御する制御部１０と、酸化剤ガス不純物除去手段４を経由する不純物除去手段経由経路１１と、酸化剤ガス不純物除去手段４を経由しないバイパス経路１２と、を備えた構成となっている。
【００４３】
なお、本実施の形態においては、流量比率調節部１４は、燃料電池に供給される酸化剤ガスの一部が不純物除去手段経由経路１１を通過するように流量比率を調節する機構を備えるように構成されている。
【００４４】
すなわち流量比率調節部１４は、不純物除去手段経由経路１１とバイパス経路１２との酸化剤ガス流量比率を調節するために、不純物除去手段経由経路１１に設置された第一酸化剤ガス供給手段２と、バイパス経路１２に設置された第二酸化剤ガス供給手段１３と、を備えた構成となっている。
【００４５】
また本実施の形態においては、酸化剤ガス中に含まれる不純物濃度を間接的に推測する検出部９は、年月日を計測するカレンダー部を備えた構成となっている。
【００４６】
以上のように構成された本実施の形態の燃料電池発電装置について、以下その動作、作用を説明する。
【００４７】
燃料電池１は、水素イオン伝導性を有する固体高分子電解質からなる電解質膜と、電解質膜を挟むように設けられたカソードおよびアノードで構成される燃料電池セルを複数積層して締結したスタックで構成される。
【００４８】
カソードは、電解質膜の一方の面に形成され、白金粒子が担持されたカーボンと水素イオン伝導性を有する高分子電解質からなる触媒層と、その触媒層に積層されるように配置されたカーボンとフッ素樹脂からなる導電性のガス拡散層で構成される。
【００４９】
アノードは、電解質膜のもう一方の面に、カソードと対向するように同じく形成され、白金ルテニウム合金粒子が担持されたカーボンと水素イオン伝導性を有する高分子電解質からなる触媒層と、その触媒層に積層されるように配置された、カーボンとフッ素樹脂からなる導電性のガス拡散層で構成される。
【００５０】
カソードおよびアノードの形成された電解質膜は樹脂製の枠体に固定され、さらに、その枠体を、酸化剤ガスを供給する酸化剤ガス流路、および、燃料ガスを供給する燃料ガス流路が形成されたカーボンと樹脂で構成された一対の平板状セパレータで挟持して、燃料電池セルが構成されている。
【００５１】
ここで、電解質膜、カソード、および、アノードを構成する材料は前記した材料に限定されるものではなく、運転条件などに応じて適宜選択することができる。
【００５２】
第一酸化剤ガス供給手段２、および第二酸化剤ガス供給手段１３は、酸化剤ガスとして大気を用い、ブロワや、ポンプ、コンプレッサなどで燃料電池１のカソードに少なくとも酸素を含む酸化剤ガスを供給する構成となっている。また、供給する酸化剤ガスの露点を調整するため、カソード出口から排出されたオフ酸化剤ガスと全熱交換する加湿器を備えることもできる。
【００５３】
なお、第一酸化剤ガス供給手段２、および第二酸化剤ガス供給手段１３は、制御部１０からの指令によって、酸化剤ガス供給量を調節する流量比率調節部１４の機能も有している。
【００５４】
第一酸化剤ガス供給手段２、および第二酸化剤ガス供給手段１３に流量比率調節部１４の機能を有する手段として、第一酸化剤ガス供給手段２、および第二酸化剤ガス供給手段１３に、制御部１０からの指令を受けてガス流量を制御する流量制御用バルブを組み込んでいる。
【００５５】
これにより、発電出力から換算した酸化剤ガスの総量のうち、制御部１０からの指令によって、それぞれの流量制御用バルブの開度を調節して、不純物除去手段経由経路１１とバイパス経路１２を通過するガス量を決定することができる。
【００５６】
燃料ガス供給手段３は、原料ガスに都市ガスなどの炭化水素ガスを用い、原料ガスを水蒸気と改質反応させることにより、アノードに少なくとも水素を含む燃料ガスを供給する構成となっている。
【００５７】
ところで、酸化剤ガスとして用いられる大気中には、自動車や、工場、あるいは、家庭用燃焼器具などから排出される燃焼排ガスに由来する窒素酸化物、硫黄酸化物の他、未燃炭化水素や、揮発性有機化合物、あるいは、アンモニア、硫化水素などの悪臭由来の不純物、またあるいは、粉塵などの粒状物質、など様々な不純物が含まれる可能性がある。
【００５８】
これらの不純物の大半は、燃料電池１のカソード触媒を被毒して、出力低下や、耐久性低下などの悪影響を与えることが知られている。
【００５９】
また、上記の大気中に含まれる不純物は、その発生源が自動車や、工場、あるいは、家庭用燃焼器具などから排出される燃焼排ガスに由来するため、不純物濃度は状況により変化する。例えば、自動車交通量が多く、工場稼働率が高い平日の方が、休日に比べて大気中の不純物濃度が高いのが一般的である。
【００６０】
従って、燃料電池発電装置に従前から組み込まれている年月日を計測するカレンダー部によって、発電装置の稼動日が平日か休日かを判断することができるので、不純物濃度検出手段等の不純物濃度を直接的に測定するセンサーを新たに設置することなく、不純物濃度を間接的に推測することが可能となる。
【００６１】
酸化剤ガス不純物除去手段４は、酸化剤ガス中に含まれ、燃料電池１に悪影響を与える上述した各種不純物を除去することができる構成であり、酸性ガス不純物除去手段、アルカリ性ガス不純物除去手段、除塵不純物除去手段を備えている。防塵不純物除去手段により、ゴミ、スモッグ、煙などの微粒子状の不純物を取り除くことができる。
【００６２】
なお、酸化剤ガス不純物除去手段４の設計次第ではあるが、一般的な酸化剤ガス不純物
除去手段４を用いた場合には、酸化剤ガス中（大気中）に含まれる不純物濃度を極低濃度化することができる。例えば、大気中に含まれる硫黄化合物などの燃料電池１の出力低下や耐久性低下への影響が大きい不純物に関しては、酸化剤ガス不純物除去手段４を通過させることによって、ほぼ完全に取り除くことができる。
【００６３】
すなわち、酸化剤ガス中の不純物濃度を、後述する燃料電池発電に影響を及ぼさない不純物濃度に比べて、十分に低下させることができる。
【００６４】
また、制御部１０は、検出部９が計測した年月日に基づいて、流量比率調節部１４の酸化剤ガス流量を調節するように指令を出すことができるよう構成されている。
【００６５】
なお、酸化剤ガス不純物除去手段４は、前出の通り、酸性ガス不純物除去手段、アルカリ性ガス不純物除去手段、除塵不純物除去手段から構成されているが、この３つの不純物除去手段全てを用いなくても、大気環境に応じて、本発明の範囲で組み合わせを設定できる。例えば、主に硫黄化合物が燃料電池発電に悪影響を及ぼすことが知られているので、酸性ガス不純物除去手段だけを備える構成とすることもできる。
【００６６】
なお、硫黄化合物などの不純物が、ある程度高濃度の場合には、燃料電池の発電に悪影響を及ぼすが、低濃度の場合には、燃料電池の発電に悪影響を及ぼさないことが一般的に知られている。この燃料電池発電に影響を及ぼさない不純物濃度とは、例えば、電流密度やガス露点、ガス利用率、発電温度、起動停止方法などの運転条件、触媒層の白金量や高分子膜厚みやガス拡散層のガス透気度などの材料条件、に依存する。
【００６７】
すなわち検出部９が計測した年月日に基づいて、制御部１０からの指令で第一酸化剤ガス供給手段２、および第二酸化剤ガス供給手段１３の酸化剤ガス流量を調節することによって、燃料電池１に供給される酸化剤ガス中に含まれる不純物濃度について、燃料電池発電に悪影響を及ぼさない不純物濃度を設定することができる。
【００６８】
例えば、代表的な不純物である硫黄化合物の場合、ある地域の平日の平均的な大気中濃度２ｐｐｂの硫黄化合物を含む大気を酸化剤ガス不純物除去手段４に通流させた場合、硫黄化合物濃度は０．０４ｐｐｂに低減される。
【００６９】
また例えば、燃料電池１は０．５ｐｐｂまでの硫黄化合物に対して発電に悪影響を受けないように設計する場合、平日には酸化剤ガス不純物除去手段４を通過する大気と、酸化剤ガス不純物除去手段４を通過しない大気との比率が４：１となるように制御部１０から流量比率調節部１４に指令を出すことで、燃料電池１に供給される酸化剤ガス中の硫黄化合物濃度を、０．４３２ｐｐｂまで低減することができる。
【００７０】
これにより、燃料電池に影響を及ぼすことなく、酸化剤ガス不純物除去手段の寿命を延ばすことができる。
【００７１】
一方、同じ地域の休日の平均的な大気中濃度１ｐｐｂの硫黄化合物を含む大気を酸化剤ガス不純物除去手段４に通流させた場合は、硫黄化合物濃度は０．０２ｐｐｂに低減される。
【００７２】
上記燃料電池１は０．５ｐｐｂまでの硫黄化合物に対して発電に悪影響を受けないように設計されているので、休日には酸化剤ガス不純物除去手段４を通過する大気と、酸化剤ガス不純物除去手段４を通過しない大気との比率が２：１となるように制御部１０から流量比率調節部１４に指令を出すことで、燃料電池１に供給される酸化剤ガス中の硫黄化合物濃度を、０．３６ｐｐｂまで低減することができる。
【００７３】
これにより、燃料電池に影響を及ぼすことなく、酸化剤ガス不純物除去手段４（不純物除去手段経由経路１１）を通過する大気の量を減らすことができるので、酸化剤ガス不純物除去手段４の寿命を更に延ばすことができる。
【００７４】
なお上記の設定値、および大気中不純物濃度は一例にすぎず、本実施の形態は上記の設定値に限定するものではない。すなわち、燃料電池１の運転条件や材料条件によって発電に悪影響を受けない硫黄化合物濃度は異なる。また酸化剤ガス不純物除去手段４の設計仕様により、除去可能な硫黄化合物濃度も異なる。
【００７５】
また例えば、休日と平日の大気中の平均的な不純物濃度も地域や設置場所によって異なる。従って、燃料電池１の仕様、酸化剤ガス不純物除去手段４の仕様、設置場所の過去の平均的な不純物濃度によって、流量比率調節部１４に指令を出す制御部１０については、燃料電池１に影響を及ぼすことなく、酸化剤ガス不純物除去手段４の寿命を延ばすことができるように、適宜設定すればよい。
【００７６】
従来の不純物濃度検出手段を用いる方法は、検出手段（センサー類）を新たに設置する必要があったが、本実施の形態の場合には、カレンダー部は燃料電池発電装置に従前から組み込まれているので、不純物濃度検出手段等のセンサーを新たに設置する必要はない。
【００７７】
またカレンダー部が年月日を計測する機能を有しているので、不純物濃度が相対的に高い、もしくは低い年月日を推測することが可能である。
【００７８】
さらに、計測した年月日に基づいて、流量比率調節部を制御部から制御して、酸化剤ガス不純物除去手段を通過する酸化剤ガスの量と酸化剤ガス不純物除去手段を通過しない酸化剤ガスの量を調節することができるので、燃料電池カソード側に侵入する不純物の濃度を一定値以下に低下させることができると共に、酸化剤ガス不純物除去手段の寿命を延ばすことができる。
【００７９】
以上のように、本実施の形態においては、不純物が相対的に多いと判定される年月日のバイパス経路１２の流量比率を、不純物が相対的に少ないと判定される年月日のバイパス経路１２の流量比率よりも低くなるように制御部１０で制御することにより、燃料電池カソード側に侵入する不純物の濃度を一定値以下に低下させることができる。また、酸化剤ガス不純物除去手段４の寿命を延ばすことができる。
【００８０】
（実施の形態２）
図２は、本発明の実施の形態２における燃料電池発電装置の概略構成図を示すものである。
【００８１】
図２において、本実施の形態の燃料電池発電装置は、流量比率調節部１４は、不純物除去手段経由経路１１とバイパス経路１２とを切り替える切替機構を備えるように構成されている。
【００８２】
すなわち流量比率調節部１４は、不純物除去手段経由経路１１とバイパス経路１２とを切り替えるために、２つの経路が分かれる入口側に設置された第一供給経路切替機構５、および２つの経路が合流する出口側に設置された第二供給経路切替機構６と、を備えた構成となっている。それ以外の構成は、実施の形態１と同様の構成であり、詳細な説明は省略する。
【００８３】
本構成により、第二酸化剤ガス供給手段１３が不要となり、酸化剤ガス供給経路が簡素
化されて、燃料電池発電装置の設計が容易になり、燃料電池発電装置の長期安定作動に寄与する。
【００８４】
本実施の形態においては、制御部１０は、検出部９が計測した年月日に基づいて、第一供給経路切替機構５および第二供給経路切替機構６を制御する。すなわち、制御部１０からの指令により、第一供給経路切替機構５、および第二供給経路切替機構６が動作して、不純物除去手段経由経路１１とバイパス経路１２とが切り替わるように構成されている。
【００８５】
なお、本実施の形態では、第一酸化剤ガス供給手段２は、供給路の入口（ガス供給口）に配置したが、本発明はこれに限定されない。すなわち例えば、第一酸化剤ガス供給手段２を第二供給経路切替機構６と燃料電池１の間に配置しても、同様の効果が得られる。
【００８６】
以上のように、本実施の形態においては、検出部９が計測した年月日に基づいて、平日などの不純物が相対的に多いと判定される年月日は、不純物除去手段経由経路１１に切り替わり、休日などの不純物が相対的に少ないと判定される年月日は、不純物除去手段を経由しないバイパス経路１２に切り替わるように構成されている。
【００８７】
従って、不純物濃度検出手段等の不純物濃度を直接的に測定するセンサーを用いることなく、燃料電池１に供給される不純物濃度を低下させることができるので、燃料電池の出力低下および耐久性の低下を抑制することができる。
【００８８】
また、休日などの不純物が相対的に少ないと判定される年月日には、酸化剤ガス不純物除去手段４を経由しないバイパス経路を酸化剤ガスが流通するので、酸化剤ガス不純物除去手段４の消耗を抑え、酸化剤ガス不純物除去手段４の寿命を延ばすことが可能となる。
【００８９】
（実施の形態３）
本発明の実施の形態３における燃料電池発電装置は、検出部９が時間を計測する時計部を備えるように構成されている。それ以外の構成は、実施の形態１と同様の構成であり、詳細な説明は省略する。また、本発明の実施の形態３における燃料電池発電装置の概略構成図は、図１に示す実施の形態１と同様である。
【００９０】
大気中に含まれる不純物は、その発生源が自動車や、工場、あるいは、家庭用燃焼器具などから排出される燃焼排ガスに由来するため、不純物濃度は状況により変化する。例えば、自動車交通量が多く、工場稼働率が高い昼間の方が、夜間に比べて大気中の不純物濃度が高いのが一般的である。
【００９１】
従って、燃料電池発電装置に従前から組み込まれている、時間を計測する時計部によって、発電装置の稼動時間が昼間か夜間かを判断することができるので、不純物濃度検出手段等の不純物濃度を直接的に測定するセンサーを新たに設置することなく、不純物濃度を間接的に推測することが可能となる。
【００９２】
本構成においても、実施の形態１と同様に、検出部９が計測した時間に基づいて、制御部１０からの指令で第一酸化剤ガス供給手段２、および第二酸化剤ガス供給手段１３の酸化剤ガス流量を調節することによって、酸化剤ガス不純物除去手段４が設けられている不純物除去手段経由経路１１を通過する大気の割合と、バイパス経路１２を通過する大気の割合を調節し、燃料電池１に供給される酸化剤ガス中に含まれる不純物濃度について、燃料電池発電に悪影響を及ぼさない不純物濃度を設定することができる。
【００９３】
例えば、代表的な不純物である窒素化合物の場合、ある地域の昼間の平均的な大気中濃度２０ｐｐｂの化合物を含む大気を酸化剤ガス不純物除去手段４に通流させた場合、窒素
化合物濃度は０．４ｐｐｂに低減される。
【００９４】
また例えば、燃料電池１は８ｐｐｂまでの窒素化合物に対して発電に悪影響を受けないように設計した場合、昼間は酸化剤ガス不純物除去手段４が設けられている不純物除去手段経由経路１１を通過する大気と、バイパス経路１２を通過する大気との比率が２：１となるように制御部１０から流量比率調節部１４に指令を出すことで、燃料電池１に供給される酸化剤ガス中の窒素化合物濃度を、６．９３ｐｐｂまで低減することができる。
【００９５】
これにより、燃料電池に影響を及ぼすことなく、酸化剤ガス不純物除去手段の寿命を延ばすことができる。
【００９６】
一方、同じ地域の夜間の平均的な大気中濃度１０ｐｐｂの窒素化合物を含む大気を酸化剤ガス不純物除去手段４に通流させた場合は、窒素化合物濃度は０．２ｐｐｂに低減される。
【００９７】
上記燃料電池１は８ｐｐｂまでの窒素化合物に対して発電に悪影響を受けないように設計されているので、夜間は酸化剤ガス不純物除去手段４が設けられている不純物除去手段経由経路１１を通過する大気と、バイパス経路１２を通過する大気との比率が１：１となるように制御部１０から流量比率調節部１４に指令を出すことで、燃料電池１に供給される酸化剤ガス中の窒素化合物濃度を、５．１ｐｐｂまで低減することができる。
【００９８】
これにより、燃料電池に影響を及ぼすことなく、不純物除去手段経由経路１１を通過する大気の量を減らすことができるので、酸化剤ガス不純物除去手段４の寿命を更に延ばすことができる。
【００９９】
なお上記の設定値、および大気中不純物濃度は一例にすぎず、本実施の形態は上記の設定値に限定するものではない。すなわち、燃料電池１の運転条件や材料条件によって発電に悪影響を受けない窒素化合物濃度は異なる。また酸化剤ガス不純物除去手段４の設計仕様により、除去可能な硫黄化合物濃度も異なる。
【０１００】
また例えば、昼間と夜間の大気中の平均的な不純物濃度も地域や設置場所によって異なる。従って、燃料電池１の仕様、酸化剤ガス不純物除去手段４の仕様、設置場所の過去の平均的な不純物濃度によって、流量比率調節部１４に指令を出す制御部１０については、燃料電池１に影響を及ぼすことなく、酸化剤ガス不純物除去手段４の寿命を延ばすことができるように、適宜設定すればよい。
【０１０１】
以上のように、本実施の形態においては、不純物が相対的に多いと判定される時間のバイパス経路１２の流量比率を、不純物が相対的に少ないと判定される時間のバイパス経路１２の流量比率よりも低くなるように制御部１０で制御することにより、不純物濃度検出手段等の不純物濃度を直接的に測定するセンサーを用いることなく、燃料電池カソード側に侵入する不純物の濃度を一定値以下に低下させることができる。また、酸化剤ガス不純物除去手段４の寿命を延ばすことができる。
【０１０２】
（実施の形態４）
本発明の実施の形態４における燃料電池発電装置は、検出部９が外気日射量を計測する日射量計部を備えるように構成されている。それ以外の構成は、実施の形態１と同様の構成であり、詳細な説明は省略する。また、本発明の実施の形態４における燃料電池発電装置の概略構成図は、図１に示す実施の形態１と同様である。
【０１０３】
一般的に自動車や、工場、あるいは、家庭用燃焼器具などから排出される燃焼排ガスに
含まれる窒素酸化物や炭化水素（揮発性有機化合物）が、日光に含まれる紫外線により光化学反応を起こして変質し、オゾンやアルデヒドなどの光化学オキシダント成分を多量に発生させる。
【０１０４】
光化学オキシダント成分が燃料電池発電装置に入ると、触媒を被毒したり、電解質膜の水素イオン伝導性を阻害したりして、燃料電池の出力低下や、耐久性の低下が発生する。光化学オキシダント成分は、日光に含まれる紫外線により化学反応を起こして発生するので、日射量が高いほど発生頻度が高くなり、不純物濃度が高くなる。
【０１０５】
従って、本実施の形態においては、日射量を計測する日射量計部によって、発電装置が稼動しているときの日射量を計測することができるので、不純物濃度検出手段等の不純物濃度を直接的に測定するセンサーを設置することなく、不純物濃度を間接的に推測することが可能となる。
【０１０６】
本構成においても、実施の形態１と同様に、検出部９が計測した日射量に基づいて、制御部１０からの指令で第一酸化剤ガス供給手段２、および第二酸化剤ガス供給手段１３の酸化剤ガス流量を調節することによって、酸化剤ガス不純物除去手段４が設けられている不純物除去手段経由経路１１を通過する大気の割合と、バイパス経路１２を通過する大気の割合を調節し、燃料電池１に供給される酸化剤ガス中に含まれる不純物濃度について、燃料電池発電に悪影響を及ぼさない不純物濃度を設定することができる。
【０１０７】
以上のように、本実施の形態においては、不純物が相対的に多いと判定される日射量のバイパス経路１２の流量比率を、不純物が相対的に少ないと判定される日射量のバイパス経路１２の流量比率よりも低くなるように制御部１０で制御することにより、不純物濃度検出手段等の不純物濃度を直接的に測定する高価なセンサーを用いることなく、燃料電池カソード側に侵入する不純物の濃度を一定値以下に低下させることができる。また、酸化剤ガス不純物除去手段４の寿命を延ばすことができる。
【０１０８】
（実施の形態５）
本発明の実施の形態５における燃料電池発電装置は、検出部９が降雨量を計測する降雨量計部を備えるように構成されている。それ以外の構成は、実施の形態１と同様の構成であり、詳細な説明は省略する。また、本発明の実施の形態５における燃料電池発電装置の概略構成図は、図１に示す実施の形態１と同様である。
【０１０９】
酸化剤ガスとして用いられる大気中には、自動車や工場、あるいは、家庭用燃焼器具などから排出される燃焼排ガスに由来する窒素酸化物、硫黄酸化物の他、未燃炭化水素や、揮発性有機化合物、あるいは、アンモニア、硫化水素などの悪臭由来の不純物、またあるいは、粉塵などの粒状物質、など様々な不純物が含まれる可能性がある。
【０１１０】
これらの不純物の大半は、燃料電池１の触媒を被毒して、出力低下や、耐久性低下などの悪影響を与えることが知られている。またこれらの不純物の大半は水溶性であるため、降雨中、及び降雨直後は大気中の不純物濃度が一時的に低下する。また粉塵などの粒状物質は降雨によって洗い流される。
【０１１１】
従って、本実施の形態においては、降雨量を計測する降雨量計部によって、発電装置が稼動しているときの降雨量を計測することができるので、不純物濃度検出手段等の不純物濃度を直接的に測定するセンサーを設置することなく、不純物濃度を間接的に推測することが可能となる。
【０１１２】
本構成においても、実施の形態１と同様に、検出部９が計測した降雨量に基づいて、制
御部１０からの指令で第一酸化剤ガス供給手段２、および第二酸化剤ガス供給手段１３の酸化剤ガス流量を調節することによって、酸化剤ガス不純物除去手段４が設けられている不純物除去手段経由経路１１を通過する大気の割合と、バイパス経路１２を通過する大気の割合を調節し、燃料電池１に供給される酸化剤ガス中に含まれる不純物濃度について、燃料電池発電に悪影響を及ぼさない不純物濃度を設定することができる。
【０１１３】
以上のように、本実施の形態においては、不純物が相対的に多いと判定される降雨量のバイパス経路１２の流量比率を、不純物が相対的に少ないと判定される降雨量のバイパス経路１２の流量比率よりも低くなるように制御部１０で制御することにより、不純物濃度検出手段等の不純物濃度を直接的に測定するセンサーを用いることなく、燃料電池カソード側に侵入する不純物の濃度を一定値以下に低下させることができる。また、酸化剤ガス不純物除去手段４の寿命を延ばすことができる。
【０１１４】
なお、検出部９は、本発明の実施の形態１から実施の形態５に取り上げた機器以外であっても、本発明の効果を得ることができるものは、適宜選択可能である。例えば、大気中の不純物濃度と関係する要素として、検出部９は外気温度を計測する温度計部であってもよい。
【０１１５】
また例えば、検出部９は外気湿度を計測する湿度計部であってもよい。また例えば、検出部９は風向きを計測する風向計部であってもよい。また例えば、検出部９は風速を計測する風速計部であってもよい。またその他にも、検出部９は、大気中の不純物の濃度と関係することが判明している一般的な大気環境情報を計測する計測機器であってもよい。
【産業上の利用可能性】
【０１１６】
以上のように、本発明にかかる燃料電池発電装置は、不純物濃度検出手段（センサー）が不要で、酸化剤ガス不純物除去手段の消耗を抑え、寿命を延ばすことが可能となる。従って例えば、自動車などの移動体、分散発電システム、家庭用のコジェネレーションシステムなどの駆動源として使用される燃料電池等の用途に適用できる。
【符号の説明】
【０１１７】
１  燃料電池
２  第一酸化剤ガス供給手段
３  燃料ガス供給手段
４  酸化剤ガス不純物除去手段
５  第一供給経路切替機構
６  第二供給経路切替機構
７  第一酸化剤ガス供給路
８  燃料ガス供給路
９  検出部
１０  制御部
１１  不純物除去手段経由経路
１２  バイパス経路
１３  第二酸化剤ガス供給手段
１４  流量比率調節部
【図１】
2016162541.tif 000003
【図２】
2016162541.tif 000004